(57)【要約】リベットのシャンクに面するアンダーカット面が設けられたフランジ（３）を有する拡張するブラインドリベット組立体について述べられる。弾力のあるキャップ（２０）には、キャビティ内のアンダーカット面（２３）により囲まれた開口部を有するキャビティ（２２）が形成されて、該キャップが、設置後にリベットのフランジの上にスナップ係合できるようになっている。キャップは、フランジに対して磨耗及び腐食の保護を提供する。キャップ（２０）にはさらに、部品を該キャップ（２０）に固定するための手段を設けることができる。
2005502828.tif 000002
【特許請求の範囲】
【請求項１】
管状のシャンクと、
前記シャンクの一端において半径方向外向きに延びるフランジと、
前記シャンクを貫通し、前記フランジから遠い前記シャンクの端部に隣接して位置させられたヘッドを有するステムと、
を備え、前記フランジが、前記フランジから遠い前記シャンクの端部の方向に面するアンダーカット面を含むことを特徴とするブラインドリベット組立体。
【請求項２】
前記ステムが前記シャンクを貫通し、前記ヘッドが前記シャンクの外側に位置させられた請求項１に記載のリベット組立体。
【請求項３】
前記ヘッドが、前記フランジから遠い端部において、拡がった孔を有する前記シャンクの一部の中に位置させられた請求項１に記載のリベット組立体。
【請求項４】
前記フランジの外形が円形であり、前記アンダーカット面が前記フランジの円錐縁面である前記請求項のいずれかに記載のブラインドリベット組立体。
【請求項５】
前記フランジが、前記シャンクに隣接した縁に、周状切り込み部を有する請求項１から請求項３までのいずれかに記載のブラインドリベット組立体。
【請求項６】
前記周状切り込み部が、前記フランジの縁領域における凹部により形成された請求項５に記載のブラインドリベット。
【請求項７】
前記周状切り込み部が、前記シャンクに隣接した前記フランジの表面と接触して位置させられたスペーサ部品により形成され、前記スペーサ部品が前記シャンクの裏面の直径より小さい外径を有する請求項５に記載のブラインドリベット組立体。
【請求項８】
前記周状切り込み部が、前記フランジの皿状の縁領域により形成された請求項５に記載のブラインドリベット組立体。
【請求項９】
前記キャビティが、開口部と前記開口部を囲むアンダーカット面とを有し、前記キャップのアンダーカット面が前記リベット組立体の前記フランジの前記アンダーカット面と弾性的に係合可能にされて、前記リベット組立体の前記フランジが前記キャビティに保持されるようになった、前記請求項のいずれかに記載のリベットと、設置後にリベット組立体のフランジを受け取るためのキャビティが設けられたキャップとからなる組み合わせ。
【請求項１０】
前記キャップが、弾性材料から形成され、前記フランジを収容するキャビティを備え、前記キャビティが、前記フランジのアンダーカット面と係合可能なアンダーカット面を備えて、前記フランジが前記キャビティに保持されるようになった請求項１から請求項８までのいずれかに記載のリベットと併せて用いるキャップ。
【請求項１１】
さらに別の部品を前記キャップに取り付けるための固定構成をさらに備えた請求項１０に記載のキャップ。
【請求項１２】
前記固定構成が、自由端に、対抗する拡張部をもった一対の間隔をもって配設された弾性のある片持ちアームを備えた請求項１１に記載のキャップ。
【請求項１３】
前記固定構成がパイプクランプである請求項１１又は請求項１２に記載のキャップ。
【請求項１４】
前記固定構成が、それぞれの端部の一方において、前記キャップに取り付けられた一対の可撓性ストラップ要素を備え、前記ストラップ要素の他方の端部には、前記ストラップ要素を互いに取り付けるための固定装置の補助部品が形成されるようになった請求項１１に記載のキャップ。
【請求項１５】
前記固定構成がケーブル結束である請求項１１又は請求項１４に記載のキャップ。
【請求項１６】
前記キャビティと前記開口部の反対側にある前記キャップの表面との間に流体連通を与える通気孔をさらに備えた請求項１０に記載のキャップ。
【請求項１７】
前記通気孔にフィルタメッシュをさらに備えた請求項１６に記載のキャップ。
【請求項１８】
第２の部品をシート材料からなる製造品に取り付ける方法であって、
前記シート材料の２つの部分に整合された穴を準備し、
リベットを、前記整合された穴に設置することにより前記シート材料の部分を接合し、
一端において半径方向外向きに延びるフランジを有する管状シャンクと、前記フランジから遠い前記シャンクの端部に隣接して位置させられたヘッドを備え前記シャンクを貫通するステムとからなり、前記フランジは前記フランジから遠い前記シャンクの端部の方向に面するアンダーカット面を含む構成の、
設置後にリベット組立体のフランジを受け取るためのキャビティをもった第２の部品を準備し、
前記キャビティは開口部と前記開口部を囲むアンダーカット面とを有し、
前記リベット組立体の前記フランジのアンダーカット面を前記キャビティの前記アンダーカット面と弾性的に係合させて、前記第２の部品を前記フランジに対して保持するようにする、
という段階からなる方法。
【請求項１９】
実質的に、ここで又は図１から図４まで、図５、図６及び図７、図８、図９及び図１０、図１１及び図１２、図１３及び図１４、図１５、図１６、図１７及び図１８の添付の図面に関連して述べられたブラインドリベット。
【請求項２０】
実質的に、ここで又は図５、図６及び図７、図８、図９及び図１０、図１１及び図１２、図１３及び図１４又は図１８の添付の図面に関連して述べられるブラインドリベット組立体のためのキャップ。
【請求項２１】
実質的に、ここで述べられる第２の部品をシート材料からなる製造品に取り付ける方法。
【発明の詳細な説明】
【０００１】
（技術分野）
本発明は、シート材料のための締結具に関し、具体的には、ブラインドリベット締結具に関する。
【０００２】
（背景技術）
通常のブラインドリベット締結具は、一端に外部フランジをもった管状シャンク、及び、該シャンク貫通するステムを有する。ステムの第１の端部は、シャンクのフランジ付き端部から突出し、該ステムの第２の端部は、外径が該シャンクの外径に対応し、該フランジから遠いシャンクの端部に当接するヘッドを有する。２つのシート材料をリベットで互いに接合するために、シャンクの外径に対応する直径をもった穴がシートに形成され、該シャンクはフランジがシート材料の１つに置かれるようになるまで、整合された穴を通して挿入される。シャンクのフランジをこの位置で保持すると、張力がステムに加わり、該ステムのヘッドが管状シャンクに圧縮を加えるようになる。ヘッド及びシャンクの幾何学的形状に応じて、該シャンクの壁がより大きな直径に外向きに変形される間に該ヘッドが該シャンクの中に引き寄せられるか、又は、該ヘッドは該シャンクの端部に残り、該シャンクの壁は外向きに座屈する。張力は、ステムが折れるまで、所定の最大の力で該ステムに加えられる。ステムのヘッドはシャンク内に保持されるか、又は、該ステムが取れた後に離れ落ちるかのいずれかとすることができる。
【０００３】
上述の形式のブラインドリベットは、板金製造品の部品を接合する業界において幅広く用いられている。通常、さらに別の部品を板金製造品に対して固定しなければならない場合には、付加的なファスナが、このような部品を固定するために要求される。付加的なファスナの備えは、付加的な部品が要求されるだけでなく、該部品を組立体に取り付けるために付加的な労働が必要となるので、製造品を作るに際して費用が加えられることになる。
【０００４】
（発明の開示）
本発明の目的は、二次的な部品を組立体に固定するファスナについての付加的な配置の必要性を減らすことにより、板金製造品を生成する費用を減らすことである。
本発明のさらに別の目的は、設置後のブラインドリベットの剥き出しのヘッドを隠し且つ保護する手段を提供することである。
【０００５】
本発明の第１の態様によると、一端に外部フランジを有する管状シャンク、及び該シャンクを貫通し、フランジから遠い該シャンクの端部に当接するヘッドを有するステムを備え、該フランジには、該シャンクの方向に面した周辺アンダーカット面が設けられていることを特徴とするブラインドリベット組立体が提供される。
【０００６】
本発明の第２の態様は、外部フランジをもった管状シャンク及び該フランジ上に周辺アンダーカット面を有するブラインドリベットを準備し、該フランジのアンダーカット面が、リベットが設置される材料の表面の方向に面するように該リベットを設置し、第２の部品に、該リベットのフランジを受け取ることができ、該フランジのアンダーカット面と係合可能なアンダーカット面を含むアンダーカットキャビティを設け、該第２の部品のキャビティを該リベットのフランジの上にスナップ係合させることからなる、設置後に二次的な部品をブラインドリベットに取り付ける方法を提供する。
二次的な部品はフランジを覆う単純な保護キャップであってもよいし、又は、ケーブルクランプ、ワイヤ結束具、又はさらに別の部品をリベット留めされた組立体に保持する他の構造のような機能部品であってもよい。
ここで、本発明の実施形態を、添付図面に関連して述べる。
【０００７】
（発明を実施するための最良の形態）
ここで、図面を参照すると、図１から図４までは、リベットについての設置シーケンスを示す。リベット１は、管状シャンク２を備え、その上端には（図に示されるように）半径方向外向きに延びるフランジ３がある。フランジ３の上面４はドーム状で、該フランジ３の裏面５は、平面状であり、且つ、管状シャンク２に対して垂直である。本実施形態においては、フランジ３の外周面は内向きに及び下方に先細になっており、リベット１の下端の方向に先細になる円錐面が設けられるようになっている。ステム７は、管状シャンク２を貫通し、フランジ３のドーム状表面４を越えて突出する。ステム７は、管状シャンク２を縦方向に貫通し、フランジ３から遠い該シャンク２の端部と接触する、外径が該管状シャンク２の外径とほぼ等しい半径方向に拡がるヘッド８を有する。
【０００８】
図１から図４までのシーケンスは、板金といった２つシート材料９及び１０を互いに接合させるリベットの用途を示すものである。板金９及び１０には、最初に、直径がステム７のヘッド８及び管状シャンク２の外径とほぼ等しい孔１１及び１２のそれぞれが形成される。図１に見られるように、孔１１及び１２は整合されており、次いで、リベット１のヘッド８及びシャンク２が該孔１１及び１２を通して挿入される。フランジ３の裏面５は、リベット１が完全に挿入されるとシート９と接触し、該フランジの周辺面６は傾斜し、該シート９の上面の方向に面して、該フランジの縁の周りに延びるアンダーカットが形成されるようになる。
【０００９】
リベット１が完全に挿入されると、フランジ３の上面４上に下向きの圧力が作用し、張力が突出するステム７に加えられて、該ステムのヘッド８が該フランジ３の方向に引かれるようになる。図３に示されるように、このことは孔１１及び１２により支持されていない管状フランジの下方端を外向きに座屈させて、拡がった領域１３が形成されるようにして、リベットが整合された穴から移動しないようにし、２つのシート９及び１０を密に接触させるようにする。
【００１０】
所定の張力を超えた場合には、ステム７は折れ、該ステム７の突出している部分は、図４に見られるように、フランジ３から取り外される。ステム７はヘッド８から間隔をもった点で折れることになり、図４に見られるように、該ヘッド８及びステム７の一部はシャンク２の中に残る。代替的に、ステムが、ヘッド８との接合部で折れるように弱められた部分を有する場合には、該ステム７はフランジ３を通して完全に取り外されることになり、該ヘッド８はシャンク２の端部から離れ落ちることになる。
【００１１】
図５は、本発明の第１の実施形態を示す。リベット１の剥き出しのフランジ３を、摩耗及び腐食から保護するために、キャップ２０が設けられる。キャップ２０は、実質的に平らな上面２１をもった、ほぼディスク状の形状である。キャップ２０の裏面には、キャビティ２２が形成され、リベット１のフランジ３を密に受け取るように形づくられている。キャビティ２２は、リベット１のフランジ３の周辺面６と一致するように角度が付けられたアンダーカット周辺面２３を有する。
キャップ２０は、合成プラスチック材料といった弾性のある材料から作られ、弾性的に変形可能であるため、該キャップ２０はリベット１のフランジ３に圧入することができる。キャップ２０とフランジ３との間に密封シールを生成するために、シーラント材料をキャビティ２２内に設けて、該キャップ２０が該フランジ３に嵌められたときにそこから押し出されるようにすることができる。シーラント材料は、代替的に、キャップを嵌める前に、リベットのフランジに適用することができる。
図５に示されるキャップ２０は、ほぼ円筒形の外周壁２４を有する。壁２４は、キャップの軸方向に先細になることが予測され、該キャップはほぼ円錐形態であり、円錐台の基部にはキャビティ２２が形成されるようになっている。このような構成は、使用の際にケーブルなどがキャップ上にひっかかる可能性を最小にする。
【００１２】
キャビティ２２のアンダーカット面２３とフランジ３のアンダーカット面６との間の弾性のある係合は、キャップ２０をリベットのフランジ上に保持する。この保持を完全に利用するために、保持又は把持構造をキャップ２０と一体的に成形することができ、リベット及びキャップを用いて、二次的な部品が、リベットが互いに固定するシート９及び１０に対して保持されるようにすることができる。このような部品は、図６においては断面図、及び、図７においては斜視図で示されている。
【００１３】
ここで、図６を参照すると、キャップ２０には、リベット１のフランジ３を係合するキャビティ２２が形成されて、該キャップの上面２１には、パイプのような円筒形の物体を受け取るための弾性のあるクランプ構成が形成される。クランプ構成は、隣接する表面が部分的に円筒形の通路Ｐを形成するように形づくられた一対の片持ちアーム３０及び３１を備える。一対の角度が付けられた案内面３２及び３３が、アーム３０及び３１のそれぞれの端部に形成される。
使用の際、リベット１は、最初に、２つのシート部品９及び１０を互いに接合するように設置され、キャップ２０は該リベット１のフランジ３にスナップ嵌めされる。次に、パイプのような円筒形の物体が、アーム３０及び３１の案内面３２及び３３上に置かれ、該パイプへの下向きの圧力は、該パイプの表面上の該案内面のカム作用により、該アーム３０及び３１を離すように屈曲させる。次いで、このパイプは、アーム３０と３１との間の通路Ｐの中に通れるようになり、該アームの弾性作用によりその中に保持されるようになる。
【００１４】
図８は、複数のリベットが組立体において整合され、装飾用トリムストリップ４０といった細長い部品がアンダーカット溝４１により板金組立体に取り付けられる本発明のリベットについての適用例を示す。溝４１は、リベットのフランジ３のアンダーカット面６と係合する一対のアンダーカット側面４２及び４３を有する。トリムストリップ４０は、最初に、側面４２の１つをリベット１の表面６に係合させ、次に、スロット４１が開くように該トリムストリップを屈曲させて、フランジ３を該スロットに入れられるようにすることにより該リベットに適用することができる。ストリップ４０が釈放されると、表面４３が、リベットのフランジの表面６と係合して、該トリムストリップ４０を適当な位置に保持する。代替的に、ストリップ４０は、リベットのフランジと整合され、該ストリップの縦方向の係合に滑り込むことができる。
代替的な実施形態（図示せず）においては、トリムストリップ４０といった細長い部品には、該ストリップが取り付けられるべき主な組立体において、各々がリベットのフランジ３の大きさ及び位置に対応する多数の個々のキャビティを設けることができる。次に、ストリップが、キャビティをそれぞれのリベットと整合し、該ストリップを各々の取り付け位置に圧入することにより取り付けられる。ストリップ４０は、弾性のあるプラスチック部品であることが好ましいが、リベット１のフランジ３のアンダーカット面６を係合するように、チャネルの開口側に、内側に向けられたフランジを持つ板金チャネル部分であってもよい。
【００１５】
図９及び図１０は、リベット１のための不正操作検出キャップを設けることを意図する、本発明のさらに別の実施形態を示す。図９の断面において見られるように、キャップ２０は、該キャップ２０の周辺面２４から半径方向外向きに延び、該キャップの裏面とほぼ同一平面の、薄く壊れやすいフランジ５０を有する。キャップ２０は、図５に関して述べたように、リベット１のフランジ３に適用され、したがって、フランジ５０は、シート材料９の表面と接触する状態で位置させられる。
フランジ５０は、キャップ２１と一体的に成形されたプラスチック材料の薄いフランジであってもよいし、又は、該キャップ２０の裏面に結合された、紙又は金属箔のような壊れやすい材料であってもよい。フランジ５０の裏面にコンタクト接着剤を与えて、キャップが適当な位置にある場合に、該フランジ５０がシート材料９に固定されるようにすることができる。不正操作検出キャップの目的は、キャップ２０をリベット１のフランジ３から取り外す如何なる試みがなされた場合でも、フランジ５０の構造的弱さが、該フランジ５０の変形又は破砕を生じさせるようになることである。不正操作検出キャップは、フランジ５０又はキャップの上面２１のいずれかの上に独自の識別印を支持することができる。図９及び図１０に示される不正操作検出キャップにより、板金部品を取り換えるといったリベット１を取り外す如何なる試みも、不正操作検出キャップのフランジ５０の破壊により、検知可能になる。
キャップが取り外され、新しいキャップがその代わりに置かれた場合には、元のキャップと置き換えられたキャップ上の独自の識別番号における違いが、明らかに、取り替えられたことが示される。
【００１６】
図１１及び図１２は、ケーブル結束構造がキャップ２０と一体的に成形された本発明のさらに別の実施形態を示す。ケーブル結束構造は、キャップ２０の一方の側から半径方向に延び、且つ、その自由端には通し通路５７を持つヘッド５６を有する、第１の可撓性バンド５５を備えるものである。通し通路内部には、ラチェット歯５８がある。さらに、ケーブル結束組立体は、キャップ２０の正反対の側からバンド５５に延びる第２の可撓性バンド部５９を備える。バンド部５９は、先細の挿入端部６０及び該バンド部５９の一方の面に沿って形成された一連のラチェット歯６１を有する。ケーブル結束は、図１から図４までに関して述べられたように、最初にリベットを設置し、次に、図５に関して述べられたように、キャップを加えることにより位置させられる。次いで、可撓性バンド部５５及び５９が、ケーブルの束の周りを通され、挿入端部６０がヘッド５６の通路５７を通されて、該バンド部５９のラチェット歯６１は、該バンドが締め付けられると該ヘッド５６のラチェット歯５８と順次係合されるようになる。歯５８と歯６１の１つとの係合は、バンド部５９が通路５７から引き出されることを阻止し、ケーブルを束で保持する。
【００１７】
図１３及び図１４は、それぞれ、ステム７及びヘッド８が設置工程中にリベットから完全に取り外されて、該リベットの管状シャンク２が、該リベットが互いに固定するシート９及び１０の２つの面の間に流体連通を与えるようにされた、該リベットの断面図及び斜視図である。リベットのフランジ３を保護し、シート材料９及び１０の２つの面の間に通気を与えるために、通気キャップ６０が設けられる。
【００１８】
通気キャップ６０の形態は、図５で示されるキャップ２０と同様であるが、上面２１に、フィルタメッシュ６１を収容する中央凹部を有し、キャビティ２２とキャップ６０の上面２１との間に流体連通を与える中央通し穴６２を有する。
使用の際、リベットは上述したように設置されるが、リベットのステム７は、ヘッド８に隣接した部分で弱められているため、該リベットが設置されると該ステム及びヘッドは完全に取り外されて、該リベットの管状シャンクは妨げられないままの状態にされる。通気キャップ６０は、前述されたように、リベットのフランジ３のアンダーカット面６上にスナップ係合される。キャップが適当な位置にある場合には、通し穴はリベット１の管状シャンク２と整合されるため、流体連通が、シート９及び１０上面及び下面の間でそれぞれ確立されるようになる。
本発明の上述の実施形態は、パイプクランプ、ケーブル結束、不正操作防止フランジ及び通気開口部の備えを含むものであるが、本発明による１つ又はそれ以上のリベットにより適当な位置に保持するために、如何なる好適な構造もキャップ２０と一体的に形成できることが予測される。
本発明のリベットは、このようにして、二次的な部品のための取り付け点として、互いに板金構造を固定するリベットを用いて、該二次的な部品を製造された該板金構造に取り付けることができる便利な手段を提供する。
【００１９】
本発明による第２の形式のリベットが、図１５に示される。各リベットのフランジのアンダーカット面は円錐縁表面として上述され図示されるが、図１５のリベットにおいては、リベットのフランジ３の周辺面６に、該リベットのフランジ３の裏面５から軸方向に間隔をもって配設された半径方向外向きに延びるフランジ領域３ａが形成されるように、切り込み部６１が該フランジ３の該裏面５に隣接して形成されて、該半径方向外向きに延びるフランジ領域３ａと該リベットが取り付けられるシート表面との間に間隙Ｃが設けられるようになる。
【００２０】
図１６に示されるさらに別の実施形態においては、平面状の裏面５及び円筒形すなわち、非アンダーカット周辺面６をもつフランジ３を有する通常のブラインドリベットは、座金のようなスペーサ部品７０を該リベットのシャンクに加えることにより改造できる。座金７０は、シャンク２の上に嵌められ、リベットのフランジの裏面５に接触する。座金の外径ｄをフランジ３の裏面５の直径Ｄより小さく作ることにより、該フランジの裏面の周辺領域５ａは、リベットが座金７０により該フランジ３と加工物との間の適当な位置に設置されたときに、アンダーカット面を形成する。
図１７及び図１８に示されるさらに別のリベットの実施形態においては、リベットのフランジ３は皿状の周辺領域３６を有するので、リベットの裏側５の中央領域が加工物に接触し、その中でリベットが設置され、該フランジの裏面の周辺領域５ｂは半径方向外向きに加工物から離れるように傾斜する。
【００２１】
図１８は、図１７のリベットを２つのシート材料９及び１０の整合された穴に設置して、シートが互いに固定するようにされた状態を示すものである。図１から図１４までに示されるリベットとは異なり、図１５から図１８までのリベットは、ステム７の方向に先細になる円錐ヘッド１８を持つステム７を有する。リベットのヘッド８は、該リベットの管状シャンク２の円錐部分において受け取られて、設置されていない状態（図１５から図１７に見られる）においては、該ヘッド８はフランジ３から遠い該シャンク２の端部内にあるようにされる。ステム７が上方に引き抜かれると（図に見られるように）、円錐ヘッド８が拡がり、リベットの管状シャンク２を変形させる。シート材料１０がシャンクの拡張を阻止することにより、ヘッド８が、さらに該シャンクの上に移動することが阻止される点に到達すると、ステム７は折れ、該ヘッド８は、シャンク材料の弾性により適当な位置に保持される。ステム７はフランジ３を通して取り外される。
【００２２】
図１８は、キャップ８０が嵌められた皿状フランジを持つリベットが設置された状態を示す。キャップ８０は、ディスク状の上部８１、垂下スカート８２、及び、該スカート８２上に形成された半径方向上方に延びるリブ８３を備える。キャップ８０は、弾性材料から形成されて、リブ８３がリベットのフランジの傾斜した裏面５ｂと係合する図１８の位置に、該リベットのフランジ３の上に、該キャップがスナップ係合できるように十分に可撓性があるようにされる。図示実施形態においては、リブ８３の裏面８３ａは先細の案内面を形成するように傾斜し、フランジの縁面６ａは、キャップ８０が最初にフランジ３上に置かれたときに、該面８３ａ及び６ａが該キャップ８０及びフランジ３と整合して係合するように傾斜する。キャップへの圧力は、面６ａと８３ａとの間にカム作用をもたらし、リブ８３が、フランジの上にスナップするようにスカート８２を弾性的に拡げ、次いで、該リブ８３の上面がフランジ３の裏面５ｂを係合する状態で、図１８に示される位置まで収縮させる。
キャップ８０は、図６から図１３までに関して述べられたように、固定構造又は不正操作検出構造で形成することができる。
リブ８３は、不連続であってもよいし、又は、スカート８２の内面に延びる一連の間隔をもって配設されたリブ部であってもよい。代替的に、スカート８２は、リベットフランジの裏面５ａ又は５ｂと係合するためのアンダーカット面が設けられるように、その自由端で内側に向けられてもよい。
【図面の簡単な説明】
【００２３】
【図１】リベット組立体の設置シーケンスを示す本発明の第１のリベット組立体の側断面図である。
【図２】リベット組立体の設置シーケンスを示す本発明の第１のリベット組立体の側断面図である。
【図３】リベット組立体の設置シーケンスを示す本発明の第１のリベット組立体の側断面図である。
【図４】リベット組立体の設置シーケンスを示す本発明の第１のリベット組立体の側断面図である。
【図５】リベットのフランジに嵌めるためのキャップを示す側断面図である。
【図６】リベットのキャップと一体的に成形されたパイプクランプの断面図である。
【図７】リベットのキャップと一体的に成形されたパイプクランプの斜視図である。
【図８】細長い部品を保持するのに用いられる２つのリベットのフランジを示す斜視図である。
【図９】不正操作検出キャップをもったリベットの断面図である。
【図１０】不正操作検出キャップをもったリベットの斜視図である。
【図１１】リベットのキャップと一体的に成形されたケーブル結束の断面図である。
【図１２】リベットのキャップと一体的に成形されたケーブル結束の斜視図である。
【図１３】通気キャップをもったリベットの断面図である。
【図１４】通気キャップをもったリベットの斜視図である。
【図１５】図１と同様な第２のリベット組立体の断面図である。
【図１６】本発明による第３のリベット組立体の断面図である。
【図１７】本発明による第４のリベット組立体の断面図を示す。
【図１８】設置され、キャップが適用された図１７のリベットの図である。
【国際公開パンフレット】
2005502828.tif 000003
2005502828.tif 000004
2005502828.tif 000005
2005502828.tif 000006
2005502828.tif 000007
2005502828.tif 000008
2005502828.tif 000009
2005502828.tif 000010
2005502828.tif 000011
2005502828.tif 000012
2005502828.tif 000013
2005502828.tif 000014
2005502828.tif 000015
2005502828.tif 000016
2005502828.tif 000017
2005502828.tif 000018
2005502828.tif 000019
2005502828.tif 000020
2005502828.tif 000021
2005502828.tif 000022
2005502828.tif 000023
2005502828.tif 000024
【国際調査報告】
2005502828.tif 000025
2005502828.tif 000026
2005502828.tif 000027
2005502828.tif 000028
2005502828.tif 000029
2005502828.tif 000030